(57)【特許請求の範囲】
【請求項１】
クレーンアーム先端部に上下方向に旋回可能に軸支された側面Ｌ型の回転機台と、該機台上に設置されたターンテーブルに立設された前面が開放された横断面コ字形の背もたれ部材と、該背もたれ部材の頭部に着脱自在に被せて固定可能な落橋防止用ストッパー固定用の基台と、上記背もたれ部材の左右両側面に着脱自在に固定可能な検査路支持基台を備え、落橋防止用ストッパーを橋桁床版の所定個所に、また上記背もたれ部材に支持された落橋防止用ブロックを橋脚上部の所定個所に、更に検査路を上記ブロックより下側の橋脚上部の所定個所に搬送して取付け可能に構成されてなることを特徴とする高所作業用重量物支持取付け装置。
【請求項２】
落橋防止ストッパーをストッパー固定基台の先端に固定金具により支持し、クレーン操作により所定位置まで搬送し、前記回転機台とターンテーブルの操作により該ストッパーを橋桁床版の所定のアンカー筋に挿入して取付け、次にストッパー固定用基台を取り外して落橋防止用ブロックを前記背もたれ部材に挟持し、該ブロックを上記ストッパーを支持可能に所定のアンカー筋に挿入して取付け、次に上記背もたれ部材に検査路固定基台を装着し、検査路を支持して上記ブロックより下側の橋脚上部に取り付け、これら取付け工事を同一施工現場で連続して、あるいは各工事を別個に施工するようしてなる高所作業用重量物支持取付け方法。
【発明の詳細な説明】
【０００１】
【発明の属する技術分野】
本発明は、橋梁の床版や橋脚上部の高所に落橋防止用の鋼板製のストッパーやブロックあるいは検査路などの重量物を取付け施工する場合に使用する高所作業用の重量物支持取付け装置と該重量物取付け方法に関するものである。
【０００２】
【従来の技術】
高所の橋梁の床版に鋼板製の落橋防止ストッパーを取付けたり、橋脚上部に落橋防止用の鋼板製ブロックや検査路を取付ける工事は従来から施工されているが、そのためには現場で重量作業に耐え得るだけの足場を組み、現場打ちの場合には更に型枠を組んでコンクリートを打設する必要があった。
【０００３】
また、上記ストッパーやブロック等の既製品を使用する場合も、狭い足場上に運び上げる必要があり、その取付け冶具やコロ，トロッコ等を使用して施工しなければならず、その作業性は極めて悪く、高所作業でもあるため危険性を伴い、工事費もかさんで大変な作業であった。
【０００４】
【発明が解決しようとする課題】
本発明は、上記のような作業性の悪さ等の従来技術の諸問題を解決し、作業性がよくて危険性を伴わず、安全で作業能率の高い落橋防止装置取付け工事に使用する高所作業用重量物支持取付け装置を提案するものである。
【０００５】
【課題を解決するための手段】
即ち、本発明はクレーンアーム先端部に上下方向に旋回可能に軸支された側面Ｌ型の回転機台と、該機台上に設置されたターンテーブルに立設された前面が開放された横断面コ字形の背もたれ部材と、該背もたれ部材の頭部に着脱自在に被せて固定可能な落橋防止用ストッパー固定用の基台と、上記背もたれ部材の左右両側面に着脱自在に固定可能な検査路支持基台を備え、落橋防止ストッパーをストッパー固定基台の先端に固定金具により支持し、クレーン操作により所定位置まで搬送し、前記回転機台とターンテーブルの操作により該ストッパーを橋桁床版の所定のアンカー筋に挿入して取付け、次にストッパー固定用基台を取り外して落橋防止用ブロックを前記背もたれ部材に挟持し、該ブロックを上記ストッパーを支持可能に所定のアンカー筋に挿入して取付け、次に上記背もたれ部材に検査路固定基台を装着し、検査路を支持して上記ブロックより下側の橋脚上部に取り付け、これら取付け工事を同一施工現場で連続して、あるいは各工事を別個に施工するようしてなる高所作業用重量物支持取付け装置と方法に関するものである。
【０００６】
本発明に係る高所作業用重量物支持取付け装置と方法は上記のように構成され、落橋防止用のストッパーやブロック、検査路のような重量物をクレーン操作により所定の高所に容易に搬送し取付けることができるので、従来のような足場が不要となり、特に既製品を使用する場合には危険性も少なく、作業効率もよくて低コストで施工できるのである。以下、本発明の実施形態を図面により説明する。
【０００７】
【発明の実施の形態】
図１は本発明に係る高所作業用重量物支持取付け装置の要部を示す斜視図、図２は落橋防止用ストッパーの一例を示す斜視図、図３は上記ストッパーと上下に組合せる落橋防上用ブロックの一例を示す斜視図である。
【０００８】
図中１はクレーン車３０に搭載された伸縮かつ方向転換自在のクレーンアームで、該クレーンアーム１の先端部２には後記回転機台４上の作業員により操作できるチェーンブロック又は油圧シリンダー３が備えられている。本例はチェーンブロックの例で、該チェーンブロック３の先端にはフック１２が備えられ、該フック１２は後述の回転機台４の側枠５の上側縁に固定されている。
【０００９】
回転機台４は側枠５と底枠６とで断面Ｌ型に形成され、底枠６の後端はクレーンアーム先端部２に設けられた旋回軸７に軸支され、該回転機台４は該旋回軸７を中心にチェーンブロック３の操作により上下方向に旋回可能で、回転機台４の底枠６を水平に保持するよう調整可能に構成されている。
【００１０】
８は回転機台４の底枠６上に支持されたターンテーブルで、該ターンテーブル８上には前面が開放された横断面コ字形の落橋防上ブロック２１固定用の背もたれ部材９が立設固定されており、該背もたれ部材９を構成する左右両側壁上部には後述のストッパー固定用基台１３を着脱自在に装着するためのピン孔１０が複数個設けられ、更に該ピン孔１０の下方には落橋防止ブロック固定用金具１１が該部材９の両側壁外側に取付けられている。
【００１１】
１３は下面が開放された断面コ字形のストッパー固定用基台で、その左右両側には後端部に寄せて上記ピン孔１０と同径の複数個のピン孔４０が開設され、該基台１３はその後端部を上記背もたれ部材９の頂部に被せ、該基台１３のピン孔４０と背もたれ部材９のピン孔１０とを合致させてピン１６を挿通し、止めピン１７により固定する。
【００１２】
該ストッパー固定用基台１３の先端部にはストッパー固定用金具１５が取付けられ、更にストッパー１８の一部を挾持する切込み部１４が設けられている。ストッパー固定用基台１３は鋼板製のストッパー１８を床版２６下面に取付ける際に装着して使用し、落橋防止用ブロック２１や検査路２９を橋脚２７に取付ける場合には取り外し使用しない。
【００１３】
本発明に係る装置は、まずストッパー固定用基台１３を背もたれ部材９頭部に装着して該基台１３の先端に鋼板製のストッパー１８を抱持し、回軸機台４とターンテーブル８により水平方向と垂直方向を調整して橋桁の床版２６下側の所定位置までクレーン操作により移動させ、ストッパー１８を床版２６から先端部が下方へ突出している所定のアンカー筋２８に挿入して取付ける（図４〜５参照）。
【００１４】
次に、このストッパー固定用基台１３を取り外し、上記背もたれ部材９に落橋防止用ブロック２１の搬送用支持部２５を挟持させ、基台１３左右両側壁のブロック固定用金具１１とワイヤーロープ４２により支持固定し、上記ストッパー１８と同様に橋脚２７上部の側壁に突設した所定のアンカー筋４３に取付ける。
【００１５】
落橋防止用の鋼板製ストッパー１８は図２に示すように内側には複数のリブ１９が縦横に取付けてあり、外周部は鋼板により密閉状に形成された側面略Ｌ字形の箱体であり、上面には床版２６から突出するアンカー筋２８に挿入して取付けるための複数のストッパー固定用孔２０が設けられている。
【００１６】
落橋防止用ブロック２１は、図３に示すように、上記ストッパー１８を水平方向に支持するストッパー固定部２２と、橋脚２７側壁に接して橋脚２７に突設されたアンカー筋４３を挿入する複数の孔２４を備えた固定部２３と、上記背もたれ部材９に挾持させるブロック補強部２５とから構成されている。
【００１７】
図４は本装置により床版２６下面に落橋防止用のストッパー１８を橋脚２７近傍の床版２６下面から突出するアンカー筋２８に取付ける状態を示す説明図で、クレーンアーム先端部２に上下方向に旋回自在に軸支された回転機台４と、該機台４上のターンテーブル８上に設置された背もたれ部材９、ストッパー固定用基台１３を介して、該基台１３先端に保持した落橋防止用ストッパー１８を床版２６下面の所定位置までクレーンアーム１の操作により搬送し、該ストッパー１８の上面に設けた孔２０にアンカー筋２８を挿入して取付け、床版２６下面に固定するのである。
【００１８】
図５は上記ストッパー固定用基台１３を背もたれ部材９から取り外し、該部材９によって落橋防止用ブロック２１を支持し、橋脚２７上部側壁から突出しているアンカー筋４３を該ブロック２１前面に開孔する孔２４に挿入してボルト止めすることにより橋脚２７上部に取付ける状態を示すもので、背もたれ部材９にブロック２１のブロック補強部２５を挾持してワイヤーロープ４２により抱持した該ブロック２１を回転機台４とターンテーブル８の操作により位置と方向性を調整して橋脚２７上部の所定位置に取付け、先に床版２６下面に取付けた上記ストッパー１８下面に嵌合させ、該ストッパー１８を固定する。
【００１９】
図６は図７に示すような検査路２９を橋脚２７上方に取り付ける場合に該検査路２９を機台４によって保持する手段を示すもので、この検査路２９は落橋防止用の前記ストッパー１８や該ストッパー１８を保持するブロック２１を床版２６あるいは橋脚２７上端部に取付け施工後、その施工検査や橋桁の定期検査を行うときに使用されるものである。３２は検査路２９を構成する踏板で、作業員が歩行できる幅と長さを有し、該踏板３２の橋脚２７と接する辺を除く上周縁には腰位の高さの転落防止用手摺３３が取付けられている。
【００２０】
図６中３１は検査路２９をその取付け位置まで搬送支持するための支持基台で、該基台３１は側面Ｌ型をなし、その後端立上り部３１ａを前記回転機台４上のターンテーブル８上に立設された背もたれ部材の９左右両側面にピン孔１０を介してボルト固定４４し、前方へ突出する平面Ｈ形又はフォーク状の水平支持部３１ｂ上に検査路２９を支持固定し、クレーアーム１の操作により該検査路２９を前記落橋防止用ブロック２１取付け位置よりやや下方の橋脚２７壁面のアンカー筋（図示せず）に取り付けるのである。
【００２１】
【発明の効果】
本発明に係る装置は以上のように構成され、落橋防止用のストッパーやブロックあるいは検査路のような重量物をクレーン操作により高所の橋桁の所定個所に容易に搬送して取付けることができるので、従来のような足場の組立が不要となり、プレキャストの落橋防止部材を使用することができ、危険性も少なくて作業効率もよく、しかも比較的低コストで落橋防止工事を施工することができるのである。
【００２２】
なお、本発明に係る装置は、落橋防止工事のみならず、他の重量物を使用する高所作業にも適用できることは勿論である。
【図面の簡単な説明】
【図１】本発明装置の要部を示す斜視図である。
【図２】落橋防止用ストッパーの一例を示す斜視図である。
【図３】落橋防止用ブロックの一例を示す斜視図である。
【図４】橋桁の床版下面に落橋防止用ストッパーを取付ける状態を示す説明的である。
【図５】橋脚上部側面に落橋防止用ブロックを取付ける状態を示す説明的である。
【図６】背もたれ部材に取り付けた検査路固定基台により検査路を支持して所定の位置に移動させる状態を示す説明的ある。
【図７】検査路の一例を示す斜視図である。
【図８】本発明に係る装置を搭載したクレーン車により橋桁の所定個所に落橋防止用ストッパーを取付ける状態を示す説明的全体側面図である。
【符号の説明】
１−クレーンアーム
２−クレーンアーム先端部
３−チェーンブロック
４−回転機台
５−側枠
６−底枠
７−旋回軸
８−ターンテーブル
９−背もたれ部材
１０−ピン孔
１１−ブロック固定用金具
１２−フック
１３−ストッパー固定用基台
１４−切込み部
１５−ストッパー固定金具
１６−ピン
１７−止めピン
１８−落橋防止用ストッパー
１９−リブ
２０−ストッパー固定用孔
２１−落橋防止用ブロック
２２−ストッパー固定部
２３−固定部
２４−落橋防止ブロック固定用孔
２５−ブロック補強部
２６−橋桁の床版
２７−橋脚
２８−アンカー筋
２９−検査路
３０−クレーン車
３１−検査路支持基台
３２−踏板
３３−手摺
４０−ピン孔
４１−緩衝装置
４２−ワイヤーロープ
４３−アンカー筋
４４−ボルト
【図１】
0004051584.tif 000002
【図２】
0004051584.tif 000003
【図３】
0004051584.tif 000004
【図４】
0004051584.tif 000005
【図５】
0004051584.tif 000006
【図６】
0004051584.tif 000007
【図７】
0004051584.tif 000008
【図８】
0004051584.tif 000009